(57)【要約】【課題】読取対象の原稿の厚みの変化に好適に対応可能な画像読取装置を提供することを目的とする。【解決手段】搬送される原稿３００Ａに記録された画像を光学的に読み取る画像読取装置であって、読取センサ１４０と第１ピンチローラ１３４と第１連結部２２２と第２付勢部２５０とを有する。読取センサ１４０は、搬送されている原稿３００Ａに光が照射され、原稿３００Ａからの反射光を読み取る密着型の読取センサである。第１ピンチローラ１３４は、読取センサ１４０より原稿３００Ａの搬送方向の上流側で、読取センサ１４０に読み取られる原稿３００Ａの原稿面のうち、一方側の面に接するように設けられ、回転しながら原稿３００Ａを搬送する。第１連結部２２２は、読取センサ１４０と第１ピンチローラ１３４とを連結する。第２付勢部２５０は、第１連結部２２２で連結された読取センサ１４０と第１ピンチローラ１３４とを、第１交差方向に移動する。【選択図】図４
2011211654.tif 000002
【特許請求の範囲】
【請求項１】
原稿を搬送し、前記原稿に記録された画像を光学的に読み取る画像読取装置であって、
搬送されている前記原稿に光が照射され、前記原稿からの反射光を読み取る密着型の読取センサと、
前記読取センサより前記原稿の搬送方向の上流側で、前記読取センサによって読み取られる前記原稿の原稿面のうち、一方側の面に接するように設けられ、回転しながら前記原稿を搬送する第１ローラと、
前記読取センサと前記第１ローラとを連結する連結部と、
前記連結部によって連結された前記読取センサと前記第１ローラとを、搬送される前記原稿の原稿面に交差する面において前記搬送方向に交差する第１交差方向に移動する移動部とを有することを特徴とする画像読取装置。
【請求項２】
前記第１ローラに前記原稿が搬送されることにより搬送される前記原稿と前記第１ローラとが接触することで、前記第１ローラが前記第１交差方向として、搬送される前記原稿の原稿面から離間する離間方向に移動することにともなって、前記移動部は、前記読取センサを前記離間方向に移動することを特徴とする請求項１に記載の画像読取装置。
【請求項３】
前記移動部は、前記第１ローラまたは前記連結部の少なくともいずれか一方を、前記第１交差方向のうち、前記原稿の搬送方向に対して下面側方向に付勢する付勢部を含み、
前記読取センサは、前記付勢部による付勢によって、前記第１交差方向の所定の位置に配置され、
前記第１ローラに前記原稿が搬送されることにより搬送される前記原稿と前記第１ローラとが接触することで、前記移動部は、前記付勢部による付勢に抗して前記離間方向に移動することを特徴とする請求項２に記載の画像読取装置。
【請求項４】
前記移動部による前記第１交差方向への移動をガイドするガイド機構を有することを特徴とする請求項１から請求項３のいずれか１項に記載の画像読取装置。
【請求項５】
前記ガイド部は、搬送される前記原稿の原稿面において前記搬送方向に交差する第２交差方向における前記読取センサの少なくとも一端側に配置されていることを特徴とする請求項４に記載の画像読取装置。
【請求項６】
前記読取センサと前記第１ローラとは、搬送される前記原稿の原稿面のうち、搬送状態で上側となる上面側に設けられ、
前記連結部は、搬送される前記原稿の上面側で、前記読取センサと前記第１ローラとを連結することを特徴とする請求項１から請求項５のいずれか１項に記載の画像読取装置。
【請求項７】
前記連結部は、前記第１ローラが取り付けられた第１回転軸が貫通する第１貫通孔を有し、
前記連結部が前記読取センサに取り付けられ、前記第１回転軸が前記第１貫通孔に挿入されることで、前記読取センサと前記第１ローラとが前記連結部によって連結されることを特徴とする請求項１から請求項６のいずれか１項に記載の画像読取装置。
【請求項８】
前記読取センサより前記原稿の搬送方向の下流側で、前記読取センサによって読み取られた前記原稿の前記一方側の面に接するように設けられ、回転しながら前記原稿を搬送する第２ローラを有し、
前記連結部は、前記読取センサと前記第１ローラと前記第２ローラとを連結し、
前記移動部は、前記連結部によって連結された前記読取センサと前記第１ローラと前記第２ローラとを、前記第１交差方向に移動することを特徴とする請求項１から請求項５のいずれか１項に記載の画像読取装置。
【請求項９】
前記連結部は、前記第１ローラが取り付けられた第１回転軸が貫通する第１貫通孔と、前記第２ローラが取り付けられた第２回転軸が貫通する第２貫通孔とを有し、
前記連結部が前記読取センサに取り付けられ、前記第１回転軸が前記第１貫通孔に挿入され、前記第２回転軸が前記第２貫通孔に挿入されることで、前記読取センサと前記第１ローラと前記第２ローラとが前記連結部によって連結されることを特徴とする請求項８に記載の画像読取装置。
【請求項１０】
前記連結部は、搬送される前記原稿の原稿面において前記搬送方向に交差する第２交差方向における前記読取センサの一端側に配置された一端側連結部と、前記第２交差方向における前記読取センサの他端側に配置された他端側連結部とを含み、
前記一端側連結部は、前記第１ローラが取り付けられた第１回転軸が貫通する一端側第１貫通孔を有し、
前記他端側連結部は、前記第１回転軸が貫通する他端側第１貫通孔を有し、
前記一端側第１貫通孔と前記他端側第１貫通孔とは、前記第１交差方向における前記読取センサの中心に一致するように配置されていることを特徴とする請求項１から請求項６のいずれか１項に記載の画像読取装置。
【請求項１１】
前記移動部は、前記第１交差方向に弾性変形可能な弾性部材によって形成されていることを特徴とする請求項１から請求項１０のいずれか１項に記載の画像読取装置。
【発明の詳細な説明】
【技術分野】
【０００１】
本発明は、原稿を搬送し、この原稿に記録された画像を光学的に読み取る画像読取装置に関するものである。
【背景技術】
【０００２】
両面画像読み取り装置に関する提案がされている（例えば、特許文献１参照）。具体的に特許文献１の両面画像読み取り装置は、原稿厚検知部と、１対のイメージセンサと、積層型圧電アクチュエータとを備えている。特許文献１の両面画像読み取り装置では、原稿厚検知部によって検知された原稿の厚みに基づいて、積層型圧電アクチュエータは、原稿に対して接近離間可能なイメージセンサの移動を制御する。そして、原稿に対するイメージセンサの間隔が所定の間隔に調整される。
【先行技術文献】
【特許文献】
【０００３】
【特許文献１】特開２００２−２６２０２９号公報
【発明の概要】
【発明が解決しようとする課題】
【０００４】
原稿に記録された画像を光学的に読み取る読取センサとして、例えばＣＩＳ（Contact Image Sensor）のような密着型の読取センサを用いる場合、読取センサが読み取られる原稿の面に対して接近した状態となるようにしなければならない。ところが、画像読取装置において読取対象となる原稿は種々のものがあり、原稿の厚みも一定ではない。例えば、画像読取装置で、ある厚みの原稿に対して焦点が合うように密着型の読取センサを設置した場合、他の厚みの原稿を読み取る際、焦点が合わず、好適な読取りを実行できなくなる。
【０００５】
この点に関し、特許文献１のような構成によれば、検知された原稿の厚みに基づいて、イメージセンサを移動制御することができる。しかし、特許文献１のような構成では、原稿の厚みを検知するために原稿厚検知部が必要となる。また、原稿厚検知部によって検知された原稿の厚みに基づいて、イメージセンサの移動制御を行う積層型圧電アクチュエータが必要となる。したがって、特許文献１のような構成では、装置が複雑になる。
【０００６】
本発明は、読取対象の原稿の厚みの変化に好適に対応可能な画像読取装置を提供することを目的とする。
【課題を解決するための手段】
【０００７】
上記従来の課題に鑑みなされた本発明の一側面は、原稿を搬送し、前記原稿に記録された画像を光学的に読み取る画像読取装置であって、搬送されている前記原稿に光が照射され、前記原稿からの反射光を読み取る密着型の読取センサと、前記読取センサより前記原稿の搬送方向の上流側で、前記読取センサによって読み取られる前記原稿の原稿面のうち、一方側の面に接するように設けられ、回転しながら前記原稿を搬送する第１ローラと、前記読取センサと前記第１ローラとを連結する連結部と、前記連結部によって連結された前記読取センサと前記第１ローラとを、搬送される前記原稿の原稿面に交差する面において前記搬送方向に交差する第１交差方向に移動する移動部とを有することを特徴とする画像読取装置である。これによれば、読取センサより原稿の搬送方向の上流側で原稿の一方側の面に接する第１ローラに連動して、読取センサを、原稿の厚みに応じて、第１交差方向に移動させることができる。そして、読取センサと、この読取センサによって読み取られる原稿の一方側の面との間の距離を、原稿の厚みにかかわらず一定にすることができる。その際、特別な制御を実行する必要がない。
【０００８】
この画像読取装置は、次のような構成とすることもできる。すなわち、前記第１ローラに前記原稿が搬送されることにより搬送される前記原稿と前記第１ローラとが接触することで、前記第１ローラが前記第１交差方向として、搬送される前記原稿の原稿面から離間する離間方向に移動することにともなって、前記移動部は、前記読取センサを前記離間方向に移動することを特徴としてもよい。これによれば、第１ローラに前記原稿が搬送されることにより、第１ローラと連結部によって連結された読取センサを離間方向に移動させることができる。
【０００９】
また、前記移動部は、前記第１ローラまたは前記連結部の少なくともいずれか一方を、前記第１交差方向のうち、前記原稿の搬送方向に対して下面側方向に付勢する付勢部を含み、前記読取センサは、前記付勢部による付勢によって、前記第１交差方向の所定の位置に配置され、前記第１ローラに前記原稿が搬送されることにより搬送される前記原稿と前記第１ローラとが接触することで、前記移動部は、前記付勢部による付勢に抗して前記離間方向に移動することを特徴としてもよい。これによれば、付勢部を介して、読取センサを所定の位置に配置させ、かつ読取センサの移動を好適に行うことができる。
【００１０】
また、前記移動部による前記第１交差方向への移動をガイドするガイド機構を有することを特徴としてもよい。これによれば、第１交差方向において、読取センサと第１ローラとを好適に移動させることができる。
【００１１】
また、前記ガイド部は、搬送される前記原稿の原稿面において前記搬送方向に交差する第２交差方向における前記読取センサの少なくとも一端側に配置されていることを特徴としてもよい。これによれば、読取センサの少なくとも一端側で、読取センサと第１ローラとの移動を好適にガイドすることができる。
【００１２】
また、前記読取センサと前記第１ローラとは、搬送される前記原稿の原稿面のうち、搬送状態で上側となる上面側に設けられ、前記連結部は、搬送される前記原稿の上面側で、前記読取センサと前記第１ローラとを連結することを特徴としてもよい。これによれば、搬送される原稿の上面側で、第１ローラとともに読取センサを、原稿の厚みに応じて、第１交差方向に好適に移動させることができる。
【００１３】
また、前記連結部は、前記第１ローラが取り付けられた第１回転軸が貫通する第１貫通孔を有し、前記連結部が前記読取センサに取り付けられ、前記第１回転軸が前記第１貫通孔に挿入されることで、前記読取センサと前記第１ローラとが前記連結部によって連結されることを特徴としてもよい。これによれば、連結部が読取センサに取り付けられ、第１回転軸が第１貫通孔に挿入されることで、読取センサと第１ローラとを連結することができる。したがって、読取センサと第１ローラとの連結をシンプルな構成とすることができる。
【００１４】
また、前記読取センサより前記原稿の搬送方向の下流側で、前記読取センサによって読み取られた前記原稿の前記一方側の面に接するように設けられ、回転しながら前記原稿を搬送する第２ローラを有し、前記連結部は、前記読取センサと前記第１ローラと前記第２ローラとを連結し、前記移動部は、前記連結部によって連結された前記読取センサと前記第１ローラと前記第２ローラとを、前記第１交差方向に移動することを特徴としてもよい。これによれば、読取センサより原稿の搬送方向の下流側で原稿の一方側の面に接する第２ローラに連動して、読取センサを、原稿の厚みに応じて、第１交差方向に移動させることができる。
【００１５】
また、前記連結部は、前記第１ローラが取り付けられた第１回転軸が貫通する第１貫通孔と、前記第２ローラが取り付けられた第２回転軸が貫通する第２貫通孔とを有し、前記連結部が前記読取センサに取り付けられ、前記第１回転軸が前記第１貫通孔に挿入され、前記第２回転軸が前記第２貫通孔に挿入されることで、前記読取センサと前記第１ローラと前記第２ローラとが前記連結部によって連結されることを特徴としてもよい。これによれば、連結部が読取センサに取り付けられ、第１回転軸が第１貫通孔に挿入され、第２回転軸が第２貫通孔に挿入されることで、読取センサと第１ローラと第２ローラとを連結することができる。したがって、読取センサと第１ローラと第２ローラとの連結をシンプルな構成とすることができる。
【００１６】
また、前記連結部は、搬送される前記原稿の原稿面において前記搬送方向に交差する第２交差方向における前記読取センサの一端側に配置された一端側連結部と、前記第２交差方向における前記読取センサの他端側に配置された他端側連結部とを含み、前記一端側連結部は、前記第１ローラが取り付けられた第１回転軸が貫通する一端側第１貫通孔を有し、前記他端側連結部は、前記第１回転軸が貫通する他端側第１貫通孔を有し、前記一端側第１貫通孔と前記他端側第１貫通孔とは、前記第１交差方向における前記読取センサの中心に一致するように配置されていることを特徴としてもよい。これによれば、第２交差方向における読取センサの２箇所で、第１交差方向における読取センサの中心に一致するように設けられた一端側第１貫通孔と他端側第１貫通孔とを介して、読取センサと第１ローラとを連結することができる。したがって、読取センサと第１ローラとの連結をシンプルな構成とすることができる。
【００１７】
また、前記移動部は、前記第１交差方向に弾性変形可能な弾性部材によって形成されていることを特徴としてもよい。これによれば、原稿の厚みに応じて、読取センサと第１ローラとを、第１交差方向にスムーズに移動させることができる。
【発明の効果】
【００１８】
本発明によれば、読取対象の原稿の厚みの変化に好適に対応可能な画像読取装置を得ることができる。
【図面の簡単な説明】
【００１９】
【図１】（ａ）は、スキャナ装置の外観を示す図であり、（ｂ）は、図１（ａ）に示すＡ−Ａ断面図であってスキャナ装置の内部構成の概略を示す図である。
【図２】連結部による読取センサと第１ピンチローラと第２ピンチローラとの連結構造体を示す図である。
【図３】図２に示す連結構造体を原稿の厚み方向に移動させるための構成を示す図であって、原稿が給紙ローラおよび第１ピンチローラ側に搬送されてきた状態を示す図である。
【図４】原稿が給紙ローラおよび第１ピンチローラによって画像読取センサの側に搬送されている状態を示す図である。
【図５】原稿が読取センサを搬送されて通過している状態を示す図である。
【図６】原稿が読取センサを通過し排紙ローラおよび第２ピンチローラによって搬送されている状態を示す図である。
【図７】原稿が排紙ローラおよび第２ピンチローラを通過した状態を示す図である。
【図８】他の連結部による読取センサと第１ピンチローラと第２ピンチローラとの連結構造体を示す図である。
【図９】さらに他の連結部による連結構造体と第３付勢部と含む構成を示す図である。
【発明を実施するための形態】
【００２０】
本発明を実施するための実施形態について、図面を用いて以下に詳細に説明する。本発明は、以下に記載の構成に限定されるものではなく、同一の技術的思想において種々の構成を採用することができる。例えば、以下に示す構成の一部は、省略しまたは他の構成などに置換してもよい。また、他の構成を含むようにしてもよい。
【００２１】
本発明に係る画像読取装置は、原稿を搬送し、搬送される原稿に記録された画像を光学的に読み取る画像読取機能を有する装置である。例えば、コピー機、ファクシミリ装置またはスキャナ装置が該当する。以下、画像読取装置として、スキャナ装置１０を例に説明する。
【００２２】
スキャナ装置１０は、図１（ａ）に示すような外観を有する。図１（ａ）に示すように、スキャナ装置１０は、給紙トレイ１２と、排紙トレイ１４とを有し、図１（ｂ）に示すように、その内部に原稿３００を分離して搬送し、また搬送される原稿３００の原稿面に記録された画像を読み取るための所定の構成を有する。給紙トレイ１２には、読取（スキャン）対象の原稿３００がセットされる。給紙トレイ１２には、例えば、原稿３００が複数枚重なり合った状態でセットされる。スキャナ装置１０で読取対象となる原稿３００は、普通紙の他、厚紙またはカードなど所定の樹脂製の板が例示される。排紙トレイ１４は、給紙トレイ１２から給紙され、スキャナ装置１０内を搬送されて排紙された原稿３００を受ける。
【００２３】
そして、スキャナ装置１０は、その内部に図１（ｂ）のように、原稿分離機構１００と、給紙ローラ１３０と、回転軸１３２と、第１ピンチローラ（第１従動ローラ）１３４と、回転軸１３６と、読取センサ１４０と、排紙ローラ１５０と、回転軸１５２と、第２ピンチローラ（第２従動ローラ）１５４と、回転軸１５６とを有する。
【００２４】
原稿分離機構１００は、給紙トレイ１２に複数枚重なり合った状態でセットされた原稿３００から一枚の原稿３００Ａを分離する。そして、分離された一枚の原稿３００Ａを給紙ローラ１３０側に搬送する。原稿分離機構１００は、分離ローラ１０２と、回転軸１０４と、分離片１０６と、第１付勢部１０８とを有する。
【００２５】
分離ローラ１０２は、原稿３００がセットされる側の給紙トレイ１２の面に、分離ローラ１０２の外周面の一部が突出するように設置されている。分離ローラ１０２は、回転軸１０４に支持される。回転軸１０４は、図示されていないモータなどの回転駆動機構に連結されている。回転駆動機構が駆動しこれにともない回転軸１０４が回転すると、分離ローラ１０２も、図１（ｂ）の分離ローラ１０２内に記載の矢印の方向に回転する。回転軸１０４により分離ローラ１０２が回転することで、分離ローラ１０２は、給紙トレイ１２に複数枚重なり合った状態でセットされた原稿３００から、一枚の原稿３００Ａの原稿面において一方側の面である上面側と反対の下面側に接し、これを分離する。そして、分離ローラ１０２は、分離された原稿３００Ａを回転方向によって決定付けられる方向（搬送方向）に搬送する。すなわち、分離ローラ１０２は、原稿３００Ａを給紙ローラ１３０側に搬送する。分離ローラ１０２の外周面は、シリコンゴムなどのゴムなどによって形成されている。
【００２６】
分離片１０６は、分離ローラ１０２によって搬送される原稿３００Ａに付着した他の原稿３００を、原稿３００Ａから分離する。分離片１０６は、ゴムなどの弾性部材によって形成されている。分離片１０６の一端部である先端部は、分離ローラ１０２の外周面に近接（接触した状態を含む）して配置されている。具体的に、分離片１０６の先端部は、分離ローラ１０２の外周面に押圧された状態で配置されている。第１付勢部１０８は、分離ローラ１０２の外周面に交差する方向に分離片１０６を付勢する。第１付勢部１０８は、コイルばねなどの弾性部材によって形成されている。分離ローラ１０２と、第１付勢部１０８によって分離ローラ１０２の外周面側に付勢された分離片１０６とによって、原稿３００Ａが分離される。分離された一枚の原稿３００Ａは、分離ローラ１０２と分離片１０６との間を通過する。そして、原稿３００Ａは、上述したとおり分離ローラ１０２の回転に応じて給紙ローラ１３０側に搬送される。
【００２７】
給紙ローラ１３０は、分離ローラ１０２によって分離され搬送されてきた原稿３００Ａを読取センサ１４０側に搬送する。給紙ローラ１３０は、搬送状態の原稿３００Ａの下面側に設置されている。すなわち、給紙ローラ１３０は、搬送状態の原稿３００Ａの原稿面において、分離ローラ１０２と同一の側に配置されている。給紙ローラ１３０は、回転軸１３２に支持されている。第１ピンチローラ１３４は、搬送される原稿３００Ａの原稿面において給紙ローラ１３０が配置される面とは異なる上面側に配置されている。つまり、第１ピンチローラ１３４は、給紙ローラ１３０に対向して設置されている。第１ピンチローラ１３４は、回転軸１３６に支持され、給紙ローラ１３０に従動して回転する。給紙ローラ１３０と第１ピンチローラ１３４とは、分離ローラ１０２によって分離され搬送されてきた一枚の原稿３００Ａを挟持し、読取センサ１４０側に搬送する。
【００２８】
この搬送は、原稿３００Ａが挟持された状態で、給紙ローラ１３０を支持した回転軸１３２が、図示されていないモータなどの回転駆動機構によって回転し、これにともない給紙ローラ１３０が回転して実現される。この際、第１ピンチローラ１３４は、給紙ローラ１３０に従動して回転する。なお、図１（ｂ）の給紙ローラ１３０および第１ピンチローラ１３４内に記載の矢印は、給紙ローラ１３０および第１ピンチローラ１３４の回転方向を示すものである。また、後述する図３に示すように、第１ピンチローラ１３４は、原稿３００Ａの原稿面において原稿３００Ａの搬送方向に交差する方向に、具体的には、原稿３００Ａの原稿面において搬送方向に直交する方向に所定の間隔を隔てて２個並んで設置されている。以下、本実施形態では、原稿３００Ａの原稿面において原稿３００Ａの搬送方向に交差する方向を、第２交差方向ともいう。給紙ローラ１３０についても、２個の第１ピンチローラ１３４に対して、上述した配置で２個設置されている。２個の給紙ローラ１３０は、一つの回転軸１３２に支持されている。２個の第１ピンチローラ１３４は、一つの回転軸１３６に支持されている。
【００２９】
読取センサ１４０は、搬送されてきた原稿３００Ａに記録されている画像を光学的に読み取る。読取センサ１４０は、例えばＣＩＳ（Contact Image Sensor）を含む。読取センサ１４０は、搬送されてきた原稿３００Ａの原稿面のうち上面側に設けられ、この上面、例えば表面を読み取る。なお、スキャナ装置１０は、図１（ｂ）には図示されていないランプなどによる光源を有する。読取センサ１４０は、光源から照射され、原稿３００Ａの上面を反射した反射光を読み取る。
【００３０】
排紙ローラ１５０は、読取センサ１４０を通過して搬送されてきた一枚の原稿３００Ａを、搬送方向の下流側に搬送する。つまり、排紙ローラ１５０は、搬送されてきた原稿３００Ａを、搬送方向の下流側に設置されている排紙トレイ１４側に搬送する。排紙ローラ１５０は、分離ローラ１０２と給紙ローラ１３０と同じく、搬送される原稿３００Ａの下面側に設置されている。排紙ローラ１５０は、回転軸１５２に支持されている。第２ピンチローラ１５４は、搬送される原稿３００Ａの原稿面において排紙ローラ１５０が配置される面とは異なる上面側に配置されている。つまり、第２ピンチローラ１５４は、排紙ローラ１５０に対向して設置されている。第２ピンチローラ１５４は、回転軸１５６に支持され、排紙ローラ１５０に従動して回転する。排紙ローラ１５０と第２ピンチローラ１５４とは、読取センサ１４０を通過して搬送されてきた一枚の原稿３００Ａを挟持し、排紙トレイ１４側に搬送する。
【００３１】
この搬送は、原稿３００Ａが挟持された状態で、排紙ローラ１５０を支持した回転軸１５２が、図示されていないモータなどの回転駆動機構によって回転し、これにともない排紙ローラ１５０が回転して実現される。この際、第２ピンチローラ１５４は、排紙ローラ１５０に従動して回転する。なお、図１（ｂ）の排紙ローラ１５０および第２ピンチローラ１５４内に記載の矢印は、排紙ローラ１５０および第２ピンチローラ１５４の回転方向を示すものである。なお、後述する図３に示すように、第２ピンチローラ１５４は、第２交差方向に、具体的には原稿３００Ａの原稿面において搬送方向に直交する方向に所定の間隔を隔てて２個並んで設置されている。また、排紙ローラ１５０についても、２個の第２ピンチローラ１５４に対して、上述した配置で２個設置されている。２個の排紙ローラ１５０は、一つの回転軸１５２に支持されている。また、２個の第２ピンチローラ１５４は、一つの回転軸１５６に支持されている。
【００３２】
排紙ローラ１５０と第２ピンチローラ１５４とによって原稿３００Ａが搬送され、排紙トレイ１４に原稿３００Ａが排出されることで、一枚の原稿３００Ａの読取動作が終了する。給紙トレイ１２に複数枚の原稿３００がセットされている場合、原稿分離機構１００によって既に搬送された原稿３００Ａとは異なる原稿３００が順次連続して搬送される。順次搬送される原稿３００に記録された画像が読み取られる。そして、順次、排紙トレイ１４に排出される。排出された原稿３００は、排紙トレイ１４に積層される。なお、図１（ａ）に示すスキャナ装置１０は、排紙トレイ１４が収納された状態にある。スキャナ装置１０において、上述した読取動作が実行される場合、排紙トレイ１４は、図１（ａ）に示す「引出方向」に引き出され、伸長した状態で利用される。
【００３３】
ところで、図１（ｂ）に示す第１ピンチローラ１３４と読取センサ１４０と第２ピンチローラ１５４とは、第１連結部２２２および第２連結部２２８によって構成される連結部によって連結されている。そして、第１ピンチローラ１３４と読取センサ１４０と第２ピンチローラ１５４とは、搬送される原稿３００Ａの厚みに応じて、原稿３００Ａの原稿面に交差する面において原稿３００Ａの搬送方向に交差する方向に、具体的には、原稿３００Ａの厚み方向に移動する。以下、図２を参照して、この構成について説明する。なお、以下、本実施形態では、図２に示す構成を「連結構造体２００」ともいう。また、原稿３００Ａの原稿面に交差する面において原稿３００Ａの搬送方向に交差する方向を「第１交差方向」ともいう。
【００３４】
第１連結部２２２は、読取センサ１４０と２個の第１ピンチローラ１３４とを連結する。第１連結部２２２は、一端側第１連結部２２４と、他端側第１連結部２２６とによって構成されている。なお、以下では、特に、一端側第１連結部２２４と他端側第１連結部２２６とを識別しない場合、これらを総称して第１連結部２２２ともいう。一端側第１連結部２２４は、読取センサ１４０の第２交差方向の両端のうち、中心線Ｌ１を中心として一端側に配置されている。中心線Ｌ１は、第２交差方向における読取センサ１４０の中心をとおる搬送方向の直線である。他端側第１連結部２２６は、読取センサ１４０の第２交差方向の両端のうち、中心線Ｌ１を中心として他端側に配置されている。一端側第１連結部２２４と他端側第１連結部２２６とは、搬送方向と反対側の方向において第１ピンチローラ１３４の外周面に対向する読取センサ１４０の面から、搬送方向と反対側の方向に突出するようにして取り付けられている。第１連結部２２２の読取センサ１４０への取り付けは、種々の方法によって行うことができる。例えば、所定の係合部を、第１連結部２２２と読取センサ１４０に形成し、これらを係合させて取り付ける構成とすることができる。また、接着する構成としてもよい。さらに、読取センサ１４０に対し第１連結部２２２を一体成型してもよい。２個の第１ピンチローラ１３４は、一端側第１連結部２２４と他端側第１連結部２２６との間に設置される。
【００３５】
一端側第１連結部２２４の第１ピンチローラ１３４側の端部には、一端側第１貫通孔２２５が、第２交差方向に一端側第１連結部２２４を貫通して形成されている。また、他端側第１連結部２２６の第１ピンチローラ１３４側の端部には、他端側第１貫通孔が、第２交差方向に他端側第１連結部２２６を貫通して形成されている。なお、図２に示す状態において他端側第１貫通孔は、第１ピンチローラ１３４と重なった位置に配置されているため、その図示が省略されている。一端側第１貫通孔２２５は、第１交差方向における読取センサ１４０の中心に一致するように配置されている。つまり、一端側第１貫通孔２２５は、第１交差方向に一致した読取センサ１４０の高さＨの半分の高さ（Ｈ／２）の位置に、その中心が配置されるようにされている。他端側第１貫通孔についても、読取センサ１４０に対して一端側第１貫通孔２２５と同じ位置関係となるように配置されている。一端側第１貫通孔２２５と他端側第１貫通孔とに支持された回転軸１３６は、第２交差方向に平行に設置されている。
【００３６】
第２連結部２２８は、読取センサ１４０と２個の第２ピンチローラ１５４とを連結する。第２連結部２２８は、一端側第２連結部２３０と、他端側第２連結部２３２とによって構成されている。なお、以下では、特に、一端側第２連結部２３０と他端側第２連結部２３２とを識別しない場合、これらを総称して第２連結部２２８ともいう。一端側第２連結部２３０は、読取センサ１４０の第２交差方向の両端のうち、中心線Ｌ１を中心として一端側に配置されている。他端側第２連結部２３２は、読取センサ１４０の第２交差方向の両端のうち、中心線Ｌ１を中心として他端側に配置されている。一端側第２連結部２３０と他端側第２連結部２３２とは、搬送方向において第２ピンチローラ１５４の外周面に対向する読取センサ１４０の面から、搬送方向に突出するようにして取り付けられている。第２連結部２２８の読取センサ１４０への取り付けは、第１連結部２２２の場合と同じ方法によって行うことができる。２個の第２ピンチローラ１５４は、一端側第２連結部２３０と他端側第２連結部２３２との間に設置される。
【００３７】
一端側第２連結部２３０の第２ピンチローラ１５４側の端部には、一端側第２貫通孔２３１が、第２交差方向に一端側第２連結部２３０を貫通して形成されている。また、他端側第２連結部２３２の第２ピンチローラ１５４側の端部には、他端側第２貫通孔が、第２交差方向に他端側第２連結部２３２を貫通して形成されている。なお、図２に示す状態において他端側第２貫通孔は、第２ピンチローラ１５４と重なった位置に配置されているため、その図示が省略されている。一端側第２貫通孔２３１は、第１交差方向における読取センサ１４０の中心に一致するように配置されている。つまり、一端側第２貫通孔２３１は、第１交差方向に一致した読取センサ１４０の高さＨの半分の高さ（Ｈ／２）の位置に、その中心が配置されるようにされている。他端側第２貫通孔についても、読取センサ１４０に対して一端側第２貫通孔２３１と同じ位置関係となるように配置されている。一端側第２貫通孔２３１と他端側第２貫通孔とに支持された回転軸１５６は、第２交差方向に平行に設置されている。
【００３８】
読取センサ１４０には、図２に示すように側壁部２４０が取り付けられている。側壁部２４０は、読取センサ１４０の第２交差方向の両方の側面のうち、一端側第１連結部２２４と一端側第２連結部２３０とが配置されている一端側の側面に取り付けられる。側壁部２４０の読取センサ１４０への取り付けは、例えば第１連結部２２２と同様の方法によって行うことができる。側壁部２４０には、搬送方向における読取センサ１４０の中心をとおる中心線Ｌ２上に、複数、例えば図３に示すような２個の突起２４２が形成されている。２個の突起２４２の機能については、後述する。側壁部２４０には、原稿３００Ａの上面に記録された画像を読み取るための読取センサ１４０の読取面と反対側の面から、第１交差方向に突出した凸部２４４が形成されている。
【００３９】
図２に示す連結構造体２００は、スキャナ装置１０の内部において、図３に示すように設置されている。すなわち、図１（ｂ）に基づき説明したとおり、第１ピンチローラ１３４と給紙ローラ１３０とがそれぞれ対向し、第２ピンチローラ１５４と排紙ローラ１５０とがそれぞれ対向するように設置されている。また、読取センサ１４０が、原稿３００Ａの上面に記録された画像を読み取るための読取センサ１４０の読取面と、原稿３００Ａが搬送される搬送面３１０とが一定の間隔、例えば、読取センサ１４０の焦点距離に一致する距離を隔てて対向するように設置されている。スキャナ装置１０は、第２付勢部２５０を有する。第２付勢部２５０は、コイルばねなどの弾性部材によって形成されている。第２付勢部２５０は、２個の第１ピンチローラ１３４間において、回転軸１３６に接触して設置され、第１交差方向において、連結構造体２００を原稿３００Ａの上面の方向に付勢する。つまり、第２付勢部２５０は、連結構造体２００を、原稿３００Ａの搬送方向に対して垂直下面側方向に付勢する。第２付勢部２５０は、回転軸１３６に接触して設置された状態で、圧縮方向が第１交差方向に一致するようにされている。
【００４０】
また、スキャナ装置１０は、カバー体２６０を有する。カバー体２６０は、スキャナ装置１０内部への連結構造体２００の設置に用いられる。カバー体２６０は、読取センサ１４０の読取面を除く面を、覆うようにして読取センサ１４０に取り付けられる。カバー体２６０が読取センサ１４０に取り付けられた状態で、両者は一体をなす。連結構造体２００は、読取センサ１４０がカバー体２６０に覆われた状態で、カバー体２６０内を第１交差方向に移動することができる。カバー体２６０には、第１ガイド部２６４と、第２ガイド部２７４と、第３ガイド部２８４とが形成されている。また、カバー体２６０には、第１開口部と、第２開口部２９０とが形成されている。
【００４１】
第１ガイド部２６４は、回転軸１３６とともに、第１のガイド機構を構成する。第１ガイド部２６４は、一端側第１ガイド部２６６と他端側第１ガイド部２７０とによって構成されている。第１ガイド部２６４は、カバー体２６０の側面に配置される。第１ガイド部２６４が配置されているカバー体２６０の側面は、カバー体２６０において、カバー体２６０と第１ピンチローラ１３４とが対向する面である。以下、本実施形態では、カバー体２６０において、カバー体２６０と第１ピンチローラ１３４とが対向する面を第１側面ともいう。一端側第１ガイド部２６６は、搬送方向と反対側の方向に突出して配置される。一端側第１ガイド部２６６は、第２交差方向において、一端側第１連結部２２４を挟んで第１ピンチローラ１３４と隣り合う位置に配置される。本実施形態では、図３に示すように、一端側第１ガイド部２６６と他端側第１ガイド部２７０とは、第２交差方向に沿って、第１ピンチローラ１３４を挟んで配置される。そして、一端側第１ガイド部２６６は、前述したカバー体２６０の第１側面から一端側第１連結部２２４と同一方向に向けて突出するように形成されている。一端側第１ガイド部２６６の突出方向における端部には、一端側第１ガイド溝２６８が形成されている。一端側第１ガイド溝２６８は、２個の突起２４２をとおる中心線Ｌ２に平行な中心線Ｌ３を中心として、第１交差方向に細長い形状を有する。そして、一端側第１ガイド溝２６８は、第１交差方向に直交する方向の幅が第１ピンチローラ１３４の回転軸１３６の直径よりわずかに幅広の貫通孔によって構成されている。一端側第１ガイド溝２６８には、第１ピンチローラ１３４側から一端側第１貫通孔２２５を通過した回転軸１３６が挿入される。
【００４２】
他端側第１ガイド部２７０は、一端側第１ガイド部２６６と同じくカバー体２６０の第１側面に形成されている。他端側第１ガイド部２７０は、第２交差方向において、他端側第１連結部２２６を挟んで第１ピンチローラ１３４と隣り合う位置に配置される。そして、他端側第１ガイド部２７０は、カバー体２６０の第１側面から他端側第１連結部２２６と同一方向に向けて突出するように形成されている。他端側第１ガイド部２７０の突出方向における端部には、他端側第１ガイド溝２７２が形成されている。他端側第１ガイド溝２７２は、一端側第１ガイド溝２６８と同一の形状の貫通孔によって構成されている。他端側第１ガイド溝２７２には、第１ピンチローラ１３４側から他端側第１貫通孔を貫通した回転軸１３６が挿入される。
【００４３】
第２ガイド部２７４は、回転軸１５６とともに、第２のガイド機構を構成する。第２ガイド部２７４は、一端側第２ガイド部２７６と他端側第２ガイド部２８０とによって構成されている。第２ガイド部２７４は、カバー体２６０の側面に配置される。第２ガイド部２７４が配置されているカバー体２６０の側面は、カバー体２６０において、カバー体２６０と第２ピンチローラ１５４とが対向する面である。以下、本実施形態では、カバー体２６０において、カバー体２６０と第２ピンチローラ１５４とが対向する面を第２側面ともいう。一端側第２ガイド部２７６は、第２交差方向において、一端側第２連結部２３０を挟んで第２ピンチローラ１５４と隣り合う位置に配置される。本実施形態では、図３に示すように、一端側第２ガイド部２７６と他端側第２ガイド部２８０とは、第２交差方向に沿って、第２ピンチローラ１５４を挟んで配置される。そして、一端側第２ガイド部２７６は、前述したカバー体２６０の第２側面から一端側第２連結部２３０と同一方向に向けて突出するように形成されている。一端側第２ガイド部２７６の突出方向における端部には、一端側第２ガイド溝２７８が形成されている。一端側第２ガイド溝２７８は、２個の突起２４２をとおる中心線Ｌ２に平行な中心線Ｌ４を中心として、第１交差方向に細長い形状を有する。そして、一端側第２ガイド溝２７８は、第１交差方向に直交する方向の幅が第２ピンチローラ１５４の回転軸１５６の直径よりわずかに幅広の貫通孔によって構成されている。一端側第２ガイド溝２７８には、第２ピンチローラ１５４側から一端側第２貫通孔２３１を貫通した回転軸１５６が挿入される。
【００４４】
他端側第２ガイド部２８０は、一端側第２ガイド部２７６と同じくカバー体２６０の第２側面に形成されている。他端側第２ガイド部２８０は、第２交差方向において、他端側第２連結部２３２を挟んで第２ピンチローラ１５４と隣り合う位置に配置される。そして、他端側第２ガイド部２８０は、カバー体２６０の第２側面から他端側第２連結部２３２と同一方向に向けて突出するように形成されている。他端側第２ガイド部２８０の突出方向における端部には、他端側第２ガイド溝２８２が形成されている。他端側第２ガイド溝２８２は、一端側第２ガイド溝２７８と同一の形状の貫通孔によって構成されている。他端側第２ガイド溝２８２には、第２ピンチローラ１５４側から他端側第２貫通孔を通過した回転軸１５６が挿入される。
【００４５】
第３ガイド部２８４は、カバー体２６０の第２交差方向の両方の側面のうち、いずれか一方の側面に形成される。本実施形態では、中心線Ｌ１を基準として一端側第１ガイド部２６６と一端側第２ガイド部２７６とが配置されている同じ側の側面に形成されている。第３ガイド部２８４は、第２交差方向における読取センサ１４０の一端側の側面に取り付けられる。第３ガイド部２８４は、側壁部２４０の２個の突起２４２などとともに、連結構造体２００の第１交差方向の移動をガイドする。つまり、第３ガイド部２８４は、読取センサ１４０の一端側の側面に取り付けられた側壁部２４０の２個の突起２４２などとともに、第３のガイド機構を構成する。第３ガイド部２８４は、第３ガイド溝２８６と、収容部２８８とによって構成されている。第３ガイド溝２８６は、第１交差方向に沿って細長い形状を有する。また、第３ガイド溝２８６は、側壁部２４０の２個の突起２４２をとおる中心線Ｌ２を中心としている。そして、第３ガイド溝２８６は、搬送方向における幅が突起２４２の直径よりわずかに幅広の貫通孔によって構成されている。第３ガイド溝２８６には、突起２４２が挿入される。収容部２８８には、読取センサ１４０に取り付けられた側壁部２４０の凸部２４４が収容される。
【００４６】
第１開口部は、カバー体２６０の第１側面において、一端側第１ガイド部２６６と他端側第１ガイド部２７０との間の領域に形成された開口部である。第１開口部からは、第１連結部２２２が突出している。なお、図３に示す状態において第１開口部が形成されたカバー体２６０の第１側面は、斜視方向から隠れた位置に設けられているため、その図示が省略されている。第１開口部は、次に記載する図３に示された第２開口部２９０と略同一の形状を有する。第２開口部２９０は、第２側面において、一端側第２ガイド部２７６と他端側第２ガイド部２８０との間の領域に形成された開口部である。第２開口部２９０からは、第２連結部２２８が突出している。
【００４７】
原稿３００Ａが図３に示す状態から、さらに分離ローラ１０２によって搬送されると、図４に示すように、原稿３００Ａは、給紙ローラ１３０（図４で図示を省略）と第１ピンチローラ１３４とに到達する。そして、原稿３００Ａは、給紙ローラ１３０と第１ピンチローラ１３４とによって挟持される。原稿３００Ａは、厚みｔの原稿である。そのため、図４に示す状態では、原稿３００Ａの通過にともなって反力が生成される。生成された反力によって、第２付勢部２５０は、第１交差方向において厚みｔに相当する分だけ圧縮される。これにともない、第１ピンチローラ１３４は、回転軸１３６とともに、第１交差方向において厚みｔに相当する分だけ、給紙ローラ１３０の外周面から離間するように移動する。つまり、第１ピンチローラ１３４は、回転軸１３６とともに、第１交差方向のうち、原稿３００Ａの上面から離間するように上方側に上昇する。なお、第１交差方向のうち、第１ピンチローラ１３４などが上昇し、原稿３００Ａの上面から離間する方向を、離間方向ともいう。離間方向は、原稿３００Ａの搬送方向に対して垂直上面側方向に一致する。
【００４８】
第１ピンチローラ１３４と回転軸１３６とが離間方向に移動すると、第１連結部２２２によって第１ピンチローラ１３４に連結された読取センサ１４０も同一方向に移動する。さらに、第２連結部２２８によって読取センサ１４０に連結された第２ピンチローラ１５４も、回転軸１５６とともに同一方向に移動する。つまり、原稿３００Ａが給紙ローラ１３０と第１ピンチローラ１３４とに到達すると、連結構造体２００は、図３に示す状態と比較し、離間方向に厚みｔに相当する分だけ上昇する。この際、連結構造体２００の上昇は、一端側第１ガイド溝２６８および他端側第１ガイド溝２７２と、一端側第２ガイド溝２７８および他端側第２ガイド溝２８２と、第３ガイド溝２８６とに沿って行われる。すなわち、連結構造体２００の上昇は、第１ガイド部２６４と回転軸１３６とによる第１のガイド機構によってガイドされた状態で行われる。また、第２ガイド部２７４と回転軸１５６とによる第２のガイド機構によってガイドされた状態で行われる。さらに、第３ガイド部２８４と突起２４２などとによる第３のガイド機構によってガイドされた状態で行われる。
【００４９】
言い換えれば、原稿３００Ａが、搬送方向に沿って第１ピンチローラ１３４に向かって搬送される。原稿３００Ａと第１ピンチローラ１３４とが接触する。原稿３００Ａが搬送される力により、第１ピンチローラ１３４に外力が加わる。第１ピンチローラ１３４に加わった外力により、厚みｔに相当する分、第１ピンチローラ１３４を搬送方向の垂直上向きに持ち上げる。このとき、第１ピンチローラ１３４に加わる外力によって、第１ピンチローラ１３４は、一端側第１ガイド溝２６８と他端側第１ガイド溝２７２とに沿って、原稿３００Ａの搬送方向の垂直上向き（搬送方向に対して垂直上面側方向）に上昇される。また、第１ピンチローラ１３４が、搬送方向の垂直上向きに上昇したことにともなって、読取センサ１４０も搬送方向の垂直上向きに上昇される。読取センサ１４０と第１ピンチローラ１３４とは、上述した構成により連結されている。そのため、第１ピンチローラ１３４が上昇することで、読取センサ１４０は、第３ガイド部２８４の第３ガイド溝２８６などに沿って、搬送方向の垂直上向きに上昇される。また、第２ピンチローラ１５４も、読取センサ１４０と連結されている。そのため、第２ピンチローラ１５４は、第１ピンチローラ１３４の上昇にともなって、読取センサ１４０を介して、搬送方向の垂直上向きに上昇される。第１ピンチローラ１３４と、読取センサ１４０と、同様に、第２ピンチローラ１５４は、一端側第２ガイド溝２７８および他端側第２ガイド溝２８２に沿って、搬送方向の垂直上向きに上昇される。本実施形態では、第１ピンチローラ１３４の一端側第１ガイド溝２６８および他端側第１ガイド溝２７２、または、読取センサ１４０の第３ガイド部２８４、または、第２ピンチローラ１５４の一端側第２ガイド溝２７８および他端側第２ガイド溝２８２が、搬送方向の垂直方向に沿って形成されている。これらガイド機構により、原稿３００Ａが搬送される力と、厚みｔとにより、第１ピンチローラ１３４を搬送方向の垂直上向きに正確に上昇させることができるとともに、第１ピンチローラ１３４の上昇にともなって、読取センサ１４０と第２ピンチローラ１５４とを搬送方向の垂直上向きに正確に上昇させることができる。
【００５０】
また、原稿３００Ａが図４に示す状態から、給紙ローラ１３０と第１ピンチローラ１３４とによって搬送されると、図５に示すように、原稿３００Ａは、読取センサ１４０に到達し、さらに排紙ローラ１５０および第２ピンチローラ１５４に到達する。原稿３００Ａは、厚みｔで一定であるため、図５に示す状態においても、連結構造体２００は、図４に示す状態と同じ位置に配置されている。したがって、読取センサ１４０は、読取対象となる原稿３００Ａの上面から所定の距離だけ離間した位置から、原稿３００Ａの上面に記録された画像を読み取る。ここで、所定の距離とは、図３に示す状態で読取センサ１４０と搬送面３１０との間に形成された間隔に相当する距離である。
【００５１】
さらに、原稿３００Ａが図５に示す状態から、読取センサ１４０を通過すると、図６に示すように、原稿３００Ａは、排紙ローラ１５０（図６で図示を省略）と第２ピンチローラ１５４とによってのみ搬送される。図６の状態においても、排紙ローラ１５０と第２ピンチローラ１５４とによって原稿３００Ａが挟持されているため、連結構造体２００は、図４に示す状態と同じ位置に配置される。
【００５２】
その後、原稿３００Ａが図６に示す状態から、排紙ローラ１５０と第２ピンチローラ１５４とを通過すると、図７の状態となる。図７に示す状態では、原稿３００Ａの通過にともなう反力によって圧縮されていた第２付勢部２５０の圧縮が開放される。そして、連結構造体２００は、図３に示す状態に戻る。具体的に、原稿３００Ａが排紙ローラ１５０と第２ピンチローラ１５４とを通過すると、連結構造体２００は、図４の状態となったときの離間方向とは反対の方向に移動する。連結構造体２００は、第１連結部２２２および第２連結部２２８によって一体となっている。この連結構造体２００は、第２付勢部２５０の付勢力によって、原稿３００Ａの厚みｔだけ、離間方向とは反対の方向である、原稿３００Ａの搬送方向に対して垂直下面側方向に移動する。つまり、連結構造体２００は、第１ピンチローラ１３４が給紙ローラ１３０の外周面に接近し、第２ピンチローラ１５４が排紙ローラ１５０の外周面に接近する方向に移動、すなわち下降する。そして、第１ピンチローラ１３４および給紙ローラ１３０と、第２ピンチローラ１５４および排紙ローラ１５０とは、接触する。また、連結構造体２００を構成する読取センサ１４０は、第１交差方向において、図３に示す位置に配置される。連結構造体２００の下降は、一端側第１ガイド溝２６８および他端側第１ガイド溝２７２と、一端側第２ガイド溝２７８および他端側第２ガイド溝２８２と、第３ガイド溝２８６に沿って行われる。すなわち、連結構造体２００の下降は、第１ガイド部２６４と回転軸１３６とによる第１ガイド機構によって、ガイドされた状態で行われる。また、第２ガイド部２７４と回転軸１５６とによる第２のガイド機構によって、ガイドされた状態で行われる。さらに、第３ガイド部２８４と突起２４２などによる第３のガイド機構によって、ガイドされた状態で行われる。
【００５３】
本実施形態では、原稿３００Ａが給紙ローラ１３０と第１ピンチローラ１３４とに到達する。また原稿３００Ａが排紙ローラ１５０と第２ピンチローラ１５４とを通過する。このようなとき、本実施形態の構成によれば、第１〜第３のガイド機構によってガイドされた状態で、連結構造体２００を移動させることができる。そのため、例えば原稿３００Ａの厚みｔを検知するための特殊な検知部を用いることがない。また、読取センサ１４０の読取面と、これによって読み取られる原稿３００Ａの上面との間の距離を、原稿３００Ａの厚みｔにかかわらず、読取センサ１４０の焦点距離に合致する一定値に保つことができる。そのため、原稿３００Ａの厚みｔにかかわらず、読取センサ１４０の焦点があった状態で、原稿３００Ａの上面の読取りを行うことができる。
【００５４】
また、本実施形態の構成では、読取センサ１４０は、原稿３００Ａが読取センサ１４０に到達したときまたはその直前に、原稿３００Ａの上面から離間するように移動しない。本実施形態の構成では、搬送方向において読取センサ１４０の上流側の給紙ローラ１３０に、原稿３００Ａが到達したときに、読取センサ１４０が移動する。そのため、読取センサ１４０による読取りが行われる時点において、読取センサ１４０を停止させた状態とすることが可能である。したがって、ぶれのない好適な読取りを実現することができる。さらに、本実施形態の構成では、連結構造体２００が原稿３００Ａの厚みｔに応じて、第１交差方向に移動する。そのため、読取センサ１４０が、原稿３００Ａに接触するような状態を回避することができる。具体的に、厚みのある原稿３００Ａが搬送された場合は、原稿３００Ａと、読取センサ１４０を構成するＣＩＳ表面との摩擦によりＣＩＳ表面に傷が付くことがあり、以後の読み取りに悪影響を及ぼす。本実施形態の構成によれば、このような事態の発生を防止することができる。
【００５５】
本実施形態の構成は、次のようにすることもできる。上記では、図２に示すような連結構造体２００を例に説明した。この他、連結構造体２００は、図８に示すような位置に、第１連結部４２２と第２連結部４２８とによって構成される連結部を設けた連結構造体４００としてもよい。以下では、連結構造体４００と連結構造体２００とにおいて相違する点を説明することとし、その他、同一または同様の構成については、説明を省略する。また、図８では、連結構造体４００と連結構造体２００とにおいて、共通する構成については、同一の符号を用いている。
【００５６】
連結構造体４００では、第１連結部４２２は、２個の第１ピンチローラ１３４の間に配置されている。また、第２連結部４２８は、第２ピンチローラ１５４の間に配置されている。連結構造体４００ではこの位置において、第１連結部４２２が、読取センサ１４０と第１ピンチローラ１３４とを連結する。同じく、第２連結部４２８が、読取センサ１４０と第２ピンチローラ１５４とを連結する。
【００５７】
なお、第１連結部４２２は、連結構造体２００が有する第１連結部２２２に相当する構成である。また、第２連結部４２８は、連結構造体２００が有する第２連結部２２８に相当する構成である。第１連結部４２２は、一端側第１連結部２２４と、他端側第１連結部２２６とによって構成されている。一端側第１連結部２２４は、第１連結部２２２の一端側第１連結部２２４と同じく、読取センサ１４０の第２交差方向の両端のうち、中心線Ｌ１を中心として一端側に配置される。他端側第１連結部２２６は、第１連結部２２２の他端側第１連結部２２６と同じく、読取センサ１４０の第２交差方向の両端のうち、中心線Ｌ１を中心として他端側に配置される。第２連結部４２８は、一端側第２連結部２３０と、他端側第２連結部２３２とによって構成されている。一端側第２連結部２３０は、第２連結部２２８の一端側第２連結部２３０と同じく、読取センサ１４０の第２交差方向の両端のうち、中心線Ｌ１を中心として一端側に配置される。他端側第１連結部２２６は、第２連結部２２８の他端側第１連結部２２６と同じく、読取センサ１４０の第２交差方向の両端のうち、中心線Ｌ１を中心として他端側に配置される。また、第１連結部４２２および第２連結部４２８による連結の構成などについても、連結構造体２００と同じである。連結構造体４００では、第２付勢部２５０は、連結構造体２００と同様の位置において、第１連結部４２２に接触し、この位置で連結構造体４００を付勢する。この他、連結構造体は、中心線Ｌ１に一致する位置に単一の構成による第１連結部および第２連結部がそれぞれ配置された構成としてもよい。
【００５８】
また、連結構造体２００を、図９に示すような連結構造体５００とし、連結構造体５００などと、さらに第３付勢部５３０とを有するスキャナ装置１０としてもよい。図９を参照して、連結構造体５００などと第３付勢部５３０とを有する構成について説明する。ただし、以下では、連結構造体５００と連結構造体２００とにおいて相違する点を説明することとし、その他、同一または同様の構成については、説明を省略する。また、図９では、連結構造体５００と連結構造体２００とにおいて、共通する構成については、同一の符号を用いている。なお、連結構造体５００についても、連結構造体２００と同じ位置、例えば図３に示す位置で回転軸１３６に接触して第２付勢部２５０が設置される。そして、第２付勢部２５０は、設置された位置において接触する構成、例えば回転軸１３６を付勢する。そして、第２付勢部２５０は、連結構造体５００を、第１交差方向のうち、搬送される原稿３００Ａ（図９で図示を省略）の搬送方向に対して垂直下面側方向に付勢する。ただし、図９では、第２付勢部２５０の図示が省略されている。
【００５９】
連結構造体５００では、第１連結部５２２は、一端側第１連結部２２４と、他端側第１連結部２２６との他、さらに延部５２８を含み、これらによって構成されている。一端側第１連結部２２４と他端側第１連結部２２６とは、連結構造体２００と同じく、搬送方向と反対側の方向において第１ピンチローラ１３４の外周面に対向する読取センサ１４０の面から、搬送方向と反対側の方向に突出するようにして取り付けられている。一端側第１連結部２２４と他端側第１連結部２２６と延部５２８とは、一体的に形成されている。延部５２８は、第１ピンチローラ１３４より搬送方向の上流側の位置で、回転軸１３６に沿って設置されている。すなわち、延部５２８は、このように突出した一端側第１連結部２２４と他端側第１連結部２２６との各突出端を、回転軸１３６に沿って接続している。
【００６０】
第３付勢部５３０は、コイルばねなどの弾性部材によって形成されている。第３付勢部５３０は、延部５２８に接触して設置される。そして、第３付勢部５３０は、連結構造体５００を、第１交差方向のうち、原稿３００Ａ（図９で図示を省略）の搬送方向に対して垂直下面側方向に付勢する。第３付勢部５３０は、延部５２８に接触して設置された状態で、圧縮方向が第１交差方向に一致するようにされている。
【００６１】
上述したとおり分離ローラ１０２によって原稿３００Ａが搬送されると、図９に示す状態において、原稿３００Ａ（図９で図示を省略）が、給紙ローラ１３０（図９で図示を省略）と第１ピンチローラ１３４とに到達する。そして、原稿３００Ａは、給紙ローラ１３０と第１ピンチローラ１３４とによって挟持される。これによって、第２付勢部２５０は、第１交差方向において原稿３００Ａの厚みｔに相当する分だけ圧縮される。そして、第１ピンチローラ１３４は、回転軸１３６とともに、第１交差方向のうち、原稿３００Ａの上面から離間するように上方側に移動、すなわち離間方向に上昇する。この点については、上述したとおりである。
【００６２】
図９に示す構成で、第２付勢部２５０が圧縮され、第１ピンチローラ１３４などが離間方向に上昇したとする。第３付勢部５３０は、第１ピンチローラ１３４から搬送方向の上流側の位置で、離間方向とは反対の方向に延部５２８を付勢する。つまり、第３付勢部５３０は、この位置で、原稿３００Ａの搬送方向に対して垂直下面側方向に延部５２８を付勢する。連結構造体５００では、この第３付勢部５３０による搬送方向に対して垂直下面側方向の付勢力によって、読取センサ１４０および第２ピンチローラ１５４などに、これらを第１ピンチローラ１３４などと同じ方向に上昇させるための力が働く。つまり、てこの原理によって、第２連結部２２８によって連結された、読取センサ１４０および第２ピンチローラ１５４に、離間方向に上昇させるための力を好適に働かせることができる。この場合、第１ピンチローラ１３４を上昇させるための力が加わる点が支点となる。また、第３付勢部５３０と延部５２８とが接触し、第３付勢部５３０による搬送方向に対して垂直下面側方向の付勢力が加わる延部５２８上の点が作用点となる。これにより、延部５２８を含む連結構造体５００と第３付勢部５３０とを有するスキャナ装置１０では、連結構造体５００を離間方向に好適に上昇させることができる。すなわち、第１ピンチローラ１３４と読取センサ１４０と第２ピンチローラ１５４とを確実に連動させて、この方向に好適に上昇させることができる。
【００６３】
また、上記では、第２付勢部２５０は、回転軸１３６に接触して設置され、この位置で、回転軸１３６を、第１交差方向のうち、原稿３００Ａの搬送方向に対して垂直下面側方向に付勢した。そして、これによって、第２付勢部２５０は、連結構造体２００を、原稿３００Ａの搬送方向に対して垂直下面側方向に付勢する構成を例に説明した。この他、第２付勢部２５０は、少なくともいずれか一方の第１ピンチローラ１３４、または、少なくともいずれか一方の第２ピンチローラ１５４に接触するように設置されていてもよい。この場合、第２付勢部２５０は、この設置された位置で、第１ピンチローラ１３４または第２ピンチローラ１５４を、第１交差方向のうち、原稿３００Ａの搬送方向に対して垂直下面側方向に付勢する。そして、これによって、第２付勢部２５０は、連結構造体２００を、原稿３００Ａの搬送方向に対して垂直下面側方向に付勢する。第２付勢部２５０は、第１連結部２２２を構成する、一端側第１連結部２２４および／または他端側第１連結部２２６に接触するように設置されていてもよい。この場合、第２付勢部２５０は、この設置された位置で、一端側第１連結部２２４および／または他端側第１連結部２２６を、第１交差方向のうち、原稿３００Ａの搬送方向に対して垂直下面側方向に付勢する。そして、これによって、第２付勢部２５０は、連結構造体２００を、原稿３００Ａの搬送方向に対して垂直下面側方向に付勢する。なお、第２付勢部２５０が、一端側第１連結部２２４および他端側第１連結部２２６に設置される場合、２個の第２付勢部２５０が、それぞれの位置に設置される。
【００６４】
また、第２付勢部２５０は、第２連結部２２８を構成する一端側第２連結部２３０および／または他端側第２連結部２３２に接触するように設置されていてもよい。この場合、第２付勢部２５０は、この設置された位置で、一端側第２連結部２３０および／または他端側第２連結部２３２を、第１交差方向のうち、原稿３００Ａの搬送方向に対して垂直下面側方向に付勢する。そして、これによって、第２付勢部２５０は、連結構造体２００を、原稿３００Ａの搬送方向に対して垂直下面側方向に付勢する。なお、第２付勢部２５０が、一端側第２連結部２３０および他端側第２連結部２３２に設置される場合、２個の第２付勢部２５０が、それぞれの位置に設置される。第２付勢部２５０は、回転軸１５６に接触するように設置されていてもよい。この場合、第２付勢部２５０は、この設置された位置で、回転軸１５６を、第１交差方向のうち、原稿３００Ａの搬送方向に対して垂直下面側方向に付勢する。そして、これによって、第２付勢部２５０は、連結構造体２００を、原稿３００Ａの搬送方向に対して垂直下面側方向に付勢する。第２付勢部２５０は、カバー体２６０の上面に接触するように設置されていてもよい。この場合、第２付勢部２５０は、この設置された位置で、カバー体２６０の上面を、第１交差方向のうち、原稿３００Ａの搬送方向に対して垂直下面側方向に付勢する。そして、これによって、第２付勢部２５０は、連結構造体２００を、原稿３００Ａの搬送方向に対して垂直下面側方向に付勢する。なお、カバー体２６０の上面とは、カバー体２６０の第１交差方向の面であって、収容部２８８が形成されている側の面である。
【００６５】
さらに、第２付勢部２５０は、回転軸１３６と、第１ピンチローラ１３４と、第２ピンチローラ１５４と、一端側第１連結部２２４と、他端側第１連結部２２６と、一端側第２連結部２３０と、他端側第２連結部２３２と、回転軸１５６と、カバー体２６０とのいずれかの構成のうち、少なくとも２箇所に接触するように複数設置されていてもよい。この場合、各位置において、第２付勢部２５０それぞれは、接触した各構成を、上述した方向に付勢する。そして、これによって、第２付勢部２５０それぞれは、連結構造体２００を原稿３００Ａの上面を上述した方向に付勢する。なお、このような構成は、図８に示す連結構造体４００と、図９に示す連結構造体５００とにおいても同じである。また、このような構成においても、原稿３００Ａが排紙ローラ１５０と第１ピンチローラ１３４とに到達した場合の連結構造体５００の上昇は、上述したとおりに行われる。また、原稿３００Ａが排紙ローラ１５０と第２ピンチローラ１５４とを通過した場合の下降も、上述したとおりに行われる。つまり、連結構造体５００の上昇および下降は、第１ガイド部２６４と回転軸１３６とによる第１のガイド機構によって、ガイドされた状態で行われる。また、第２ガイド部２７４と回転軸１５６とによる第２のガイド機構によって、ガイドされた状態で行われる。さらに、第３ガイド部２８４と突起２４２などとによる第３のガイド機構によって、ガイドされた状態で行われる。
【００６６】
また、上記では、第１交差方向として、原稿３００Ａの厚み方向を例示した。また、原稿３００Ａの厚み方向に一致またはこれに含まれる、搬送方向の垂直方向と、離間方向と、原稿３００Ａの搬送方向に対して垂直下面側方向もしくは垂直上面側方向などを例示して説明した。しかし、第１交差方向は、これとは異なる方向であってもよい。すなわち、第１交差方向は、上述したとおり、原稿３００Ａの原稿面に交差する面において原稿３００Ａの搬送方向に交差する方向であればよい。したがって、例えば、原稿３００Ａの原稿面に垂直に交差する面において、原稿３００Ａの搬送方向に傾斜（垂直を除く）して交差する方向であってもよい。また、原稿３００Ａの原稿面に傾斜（垂直を除く）して交差する面において、原稿３００Ａの搬送方向に垂直または傾斜（垂直を除く）して交差する方向であってもよい。この場合、第２付勢部２５０は、第１交差方向として設定された方向に、連結構造体２００，４００，５００を付勢する。また、第１ガイド部２６４と回転軸１３６とによる第１のガイド機構は、第１交差方向として設定された方向に対応して構成される。また、第２ガイド部２７４と回転軸１５６とによる第２のガイド機構も、この方向に対応して構成される。さらに、第３ガイド部２８４と突起２４２などによる第３のガイド機構も、この方向に対応して構成される。
【００６７】
また、上記では、第１ピンチローラ１３４と読取センサ１４０とを第１連結部２２２によって連結した。また、第２ピンチローラ１５４と読取センサ１４０とを第２連結部２２８によって連結した。そして、このように各構成が連結された連結構造体２００を有するスキャナ装置１０を例に説明した。ところで、給紙ローラ１３０と第１ピンチローラ１３４との配置を逆転し、および／または、排紙ローラ１５０と第２ピンチローラ１５４との配置を逆転した構成としてもよい。この場合、回転軸１３２と回転軸１３６との配置も変更され、および／または、回転軸１５２と回転軸１５６との配置も変更される。
【００６８】
給紙ローラ１３０および第１ピンチローラ１３４などを例に具体的に説明する。回転軸１３６を介して第１ピンチローラ１３４が設けられていた位置に、回転軸１３２を介して給紙ローラ１３０が設置される。そして、回転軸１３２は、第１連結部２２２と第１ガイド部２６４とに対し、回転軸１３６と同様に設置される。排紙ローラ１５０と第２ピンチローラ１５４とについても同様に設置される。そして、回転軸１５２は、第２連結部２２８と第２ガイド部２７４とに対し、回転軸１５６と同様に設置される。すなわち、連結構造体は、給紙ローラ１３０と、読取センサ１４０と、排紙ローラ１５０となどによって構成される。そして、第２付勢部２５０は、例えば回転軸１３２を、第１交差方向のうち、原稿３００Ａの搬送方向に対して垂直下面側方向に付勢する。第１ガイド部２６４は、回転軸１３２とともに、第１のガイド機構を構成する。第２ガイド部２７４は、回転軸１５２とともに、第２のガイド機構を構成する。なお、このように構成された連結構造体の第１交差方向における移動（上昇および下降）は、連結構造体２００などの場合と同様に行われる。したがって、これについての説明は省略する。
【００６９】
連結構造体４００，５００その他上述した各構成によっても、連結構造体２００などを含む上述した本実施形態の構成と同一または同様の優れた機能を奏し、有利な効果を得ることができる。
【符号の説明】
【００７０】
１０  スキャナ装置
１３４  第１ピンチローラ
１３６  回転軸
１４０  読取センサ
２００，４００，５００  連結構造体
２２２，４２２，５２２  第１連結部
２２４  一端側第１連結部
２２５  一端側第１貫通孔
２２６  他端側第１連結部
２５０  第２付勢部
３００，３００Ａ  原稿
【図１】
2011211654.tif 000003
【図２】
2011211654.tif 000004
【図３】
2011211654.tif 000005
【図４】
2011211654.tif 000006
【図５】
2011211654.tif 000007
【図６】
2011211654.tif 000008
【図７】
2011211654.tif 000009
【図８】
2011211654.tif 000010
【図９】
2011211654.tif 000011